(57)【要約】      （修正有）【課題】渡した相手方に強い印象を与えることができる名刺等の情報伝達カードを提供する。【解決手段】名刺１は、第１面状部材２および第２面状部材３と、第１面状部材２および第２面状部材３を連結する第１中間面状部材４１、第２中間面状部材４２および第３中間面状部材４３を備え、第１面状部材２は第１内側情報表示面部２１を備え、第２面状部材３は、第２内側情報表示面部３１を備え、第１内側情報表示面部２１と第２内側情報表示面部３１とが対向するように第１面状部材２と第２面状部材３とを重ねて、第１の内側辺２１１，３１１が延出する方向に延びる軸を第１の軸とし、第１の内側辺２１１，３１１に直交する第２の内側辺２１２，３１２が延出する方向に延びる軸を第２の軸として、第１面状部材２と第２面状部材３とを、互いに直交する第１の軸および第２の軸を中心として、相対的に回動可能であることを特徴とする。【選択図】図３
0003208079.tif 000002
【実用新案登録請求の範囲】
【請求項１】
互いに交差する２つの辺部がそれぞれ形成された第１面状部材および第２面状部材と、
前記第１面状部材および前記第２面状部材を連結する中間面状部材とを備える情報伝達カードであって、
前記第１面状部材は、情報が表示された第１内側情報表示面部と、前記第１内側情報表示面部の裏側に設けられ、情報が表示された第１外側情報表示面部とを備え、
前記第２面状部材は、情報が表示された第２内側情報表示面部と、前記第２内側情報表示面部の裏側に設けられ、情報が表示された第２外側情報表示面部とを備え、
前記中間面状部材は、前記第１内側情報表示面部、または前記第２内側情報表示面部と重なる主面部を備え、
前記中間面状部材の主面部は、情報が表示された第１情報表示面部と、前記第１情報表示面部の裏側に設けられ、情報が表示された第２情報表示面部とを備え、
前記第１面状部材または前記第２面状部材の一辺部が延出する方向に延びる軸を第１の軸とし、前記第１面状部材または前記第２面状部材の一辺部と交差する他辺部が延出する方向に延びる軸を第２の軸として、
前記中間面状部材は、前記主面部から延設されて、前記第１の軸に沿って設けられる第１延設部と、前記主面部から延設されて、前記第２の軸に沿って設けられる第２延設部とを備え、
前記第１延設部は、前記第１面状部材および前記第２面状部材の一方の面状部材の外側情報表示面部に連結され、
前記第２延設部は、前記第１面状部材および前記第２面状部材の他方の面状部材の外側情報表示面部に連結され、
前記第２面状部材は、前記第１面状部材に対して、前記第１の軸および前記第２の軸を中心として、相対的に回動可能であることを特徴とする情報伝達カード。
【請求項２】
請求項１に記載の情報伝達カードにおいて、
前記中間面状部材は、少なくとも第１中間面状部材と第２中間面状部材とを備え、
前記第１中間面状部材の第１延設部が前記第２外側情報表示面部に連結され、前記第１中間面状部材の第２延設部が前記第１外側情報表示面部に連結され、
前記第２中間面状部材の第１延設部が前記第１外側情報表示面部に連結され、前記第２中間面状部材の第２延設部が前記第２外側情報表示面部に連結されることを特徴とする情報伝達カード。
【請求項３】
請求項１または請求項２に記載の情報伝達カードにおいて、
前記第１内側情報表示面部および前記第２内側情報表示面部のうち少なくとも一方の内側情報表示面部には、前記中間面状部材の主面部と、前記内側情報表示面部とによって、面状体が差し込まれる差込部が形成されていることを特徴とする情報伝達カード。
【請求項４】
請求項１ないし請求項３のいずれか1項に記載の情報伝達カードにおいて、
前記中間面状部材は和紙で形成されていることを特徴とする情報伝達カード。
【考案の詳細な説明】
【技術分野】
【０００１】
本考案は、名刺やグリーティングカード等の情報伝達カードに関する。
【背景技術】
【０００２】
従来、ビジネス等で用いられる名刺では、表面に氏名、会社名、部署名、会社の住所、電話番号、ファックス番号を記載し、その裏面に表面に記載した内容を英文で表記したもの、あるいは、裏面にその会社の全国各地の他の営業所、事業所等の住所、電話番号等、を記載したもの等が使用されている。
【０００３】
しかし、上記したような従来の名刺では、情報を表示できるスペースが名刺の表面および裏面に限られるため、会社案内や商品案内等の情報を記載するのが困難であるという問題があった。
【０００４】
このため、複数の情報表示面を備えた、折りたたみ型の名刺が知られている（例えば、特許文献１）。
【先行技術文献】
【特許文献】
【０００５】
【特許文献１】登録実用新案第３００２９１２号公報
【考案の概要】
【考案が解決しようとする課題】
【０００６】
しかし、特許文献１に記載のような名刺では、複数枚の名刺を隣り合わせに置いた形状と何ら異なるところがないため、斬新性に欠け、名刺交換により名刺を渡す相手方に強い印象を与えることができないという問題がある。
【０００７】
本考案の目的は、複数の情報記入面を備えた名刺等の情報伝達カードにおいて、渡した相手方に強い印象を与えることが可能な情報伝達カードを提供することである。
【課題を解決するための手段】
【０００８】
本考案の情報伝達カードは、互いに交差する２つの辺部がそれぞれ形成された第１面状部材および第２面状部材と、前記第１面状部材および前記第２面状部材を連結する中間面状部材とを備える情報伝達カードであって、前記第１面状部材は、情報が表示された第１内側情報表示面部と、前記第１内側情報表示面部の裏側に設けられ、情報が表示された第１外側情報表示面部とを備え、前記第２面状部材は、情報が表示された第２内側情報表示面部と、前記第２内側情報表示面部の裏側に設けられ、情報が表示された第２外側情報表示面部とを備え、前記中間面状部材は、前記第１内側情報表示面部、または前記第２内側情報表示面部と重なる主面部を備え、前記中間面状部材の主面部は、情報が表示された第１情報表示面部と、前記第１情報表示面部の裏側に設けられ、情報が表示された第２情報表示面部とを備え、前記第１面状部材または前記第２面状部材の一辺部が延出する方向に延びる軸を第１の軸とし、前記第１面状部材または前記第２面状部材の一辺部と交差する他辺部が延出する方向に延びる軸を第２の軸として、前記中間面状部材は、前記主面部から延設されて、前記第１の軸に沿って設けられる第１延設部と、前記主面部から延設されて、前記第２の軸に沿って設けられる第２延設部とを備え、前記第１延設部は、前記第１面状部材および前記第２面状部材の一方の面状部材の外側情報表示面部に連結され、前記第２延設部は、前記第１面状部材および前記第２面状部材の他方の面状部材の外側情報表示面部に連結され、前記第２面状部材は、前記第１面状部材に対して、前記第１の軸および前記第２の軸を中心として、相対的に回動可能であることを特徴とする。
【０００９】
このような本考案では、第１面状部材および第２面状部材を連結する中間面状部材は、第１情報表示面部および第２情報表示面部が表裏に設けられた主面部と、第１面状部材または第２面状部材の一辺部が延出する方向に延びる第１の軸に沿って設けられる第１延設部と、第１面状部材または第２面状部材の一辺部と交差する他辺部が延出する方向に延びる第２の軸に沿って設けられる第２延設部を備えている。第１延設部は、第１面状部材および第２面状部材の一方の面状部材の外側情報表示面部に連結され、第２延設部は、第１面状部材および第２面状部材の他方の面状部材の外側情報表示面部に連結される。これにより、第１面状部材と第２面状部材とを、互いに交差する第１の軸および第２の軸を中心として開くことができる。ここで、中間面状部材の主面部の裏表に設けられた情報表示面部は、第１面状部材と第２面状部材との開き方によって、異なる面が表側となって現れる。すなわち、第１の軸を中心として第１面状部材と第２面状部材とを開いた時に、中間面状部材の主面部の第１情報表示面部が表側となって現れた場合は、第２の軸を中心として開いた時に、中間面状部材の主面部の第２情報表示面部が表側となって現れる。従って、情報伝達カードの開き方によって異なる情報を表示でき、渡した相手方に強い印象を与えることができる。さらに、中間面状部材の主面部の両面にも情報を表示できるため、表示できる情報量を増やすことができる。
【００１０】
本考案において、前記中間面状部材は、少なくとも第１中間面状部材と第２中間面状部材とを備え、前記第１中間面状部材の第１延設部が前記第２外側情報表示面部に連結され、前記第１中間面状部材の第２延設部が前記第１外側情報表示面部に連結され、前記第２中間面状部材の第１延設部が前記第１外側情報表示面部に連結され、前記第２中間面状部材の第２延設部が前記第２外側情報表示面部に連結されることが望ましい。
【００１１】
このような考案では、第１中間面状部材の第１延設部が第２外側情報表示面部に連結され、第１中間面状部材の第２延設部が第１外側情報表示面部に連結され、第２中間面状部材の第１延設部が第１外側情報表示面部に連結され、第２中間面状部材の第２延設部が第２外側情報表示面部に連結される。このため、第１面状部材は、第１中間面状部材の第２延設部と第２中間面状部材の第１延設部とによって、互いに交差する一辺部および他辺部側から支持される。第２面状部材は、第１中間面状部材の第１延設部と第２中間面状部材の第２延設部とによって、互いに交差する一辺部および他辺部側から支持される。従って、第１面状部材と第２面状部材とを、第１の軸および第２の軸を中心として相対的に回動させた時に、第１面状部材と第２面状部材とがぐらつくことを防止できる。
【００１２】
本考案において、前記第１内側情報表示面部および前記第２内側情報表示面部のうち少なくとも一方の内側情報表示面部には、前記中間面状部材の主面部と、前記内側情報表示面部とによって、面状体が差し込まれる差込部が形成されていることが望ましい。
【００１３】
このような考案では、カード等の面状体を、第１面状部材と第２面状部材の内側に差し込むことができるため、情報伝達カードを渡した相手方に強い印象を与えることができる。さらに、差込部に差し込まれたカード等の面状体にも情報を表示することができるため、相手方により多くの情報を伝達することができる。
【００１４】
本考案において、中間面状部材は和紙で形成されていることが望ましい。
このような考案では、中間面状部材は和紙で形成されているため、第１面状部材に対して第２面状部材を、第１の軸または第２の軸を中心として相対的に回動させた場合でも、折り曲げ力に耐えることができ、中間面状部材が破れることを防止できる。
【図面の簡単な説明】
【００１５】
【図１】本考案の一実施形態に係る名刺を示す内側から見た斜視図。
【図２】図１に示す状態の名刺を外側から見た斜視図。
【図３】名刺の分解斜視図。
【図４】図１に示す名刺の開く角度を変えて別の姿勢とした状態を示す外側から見た斜視図。
【図５】前記名刺を回動させて別の開き方とした状態を示す外側から見た斜視図。
【図６】図５に示す名刺の開く角度を変えて別の姿勢とした状態を示す内側から見た斜視図。
【図７】図６に示す状態の名刺を外側から見た斜視図。
【図８】図６に示す状態の名刺を折り返す状態を示す部分拡大図。
【考案を実施するための形態】
【００１６】
以下、本考案の一実施形態に係る名刺１を図面に基づいて説明する。
図１は、名刺１を内側から見た状態を示し、図２は、名刺１を外側から見た状態を示す。
図１および図２に示す名刺１は、それぞれ長方形状の厚紙から形成された第１面状部材２および第２面状部材３と、第１面状部材２および第２面状部材３を連結する中間面状部材４とを備える。
【００１７】
第１面状部材２は、製品ラインナップ等の情報が印刷された第１内側情報表示面部２１と、第１内側情報表示面部２１の裏側に設けられ、氏名、会社名、部署名、会社の住所、電話番号、ファックス番号等の情報を英文で印刷した紙が貼付された第１外側情報表示面部２２とを備える。
第２面状部材３は、取扱店舗やアクセスマップが印刷された第２内側情報表示面部３１と、第２内側情報表示面部３１の裏側に設けられ、第１外側情報表示面部２２に印刷された情報を和文で印刷した紙が貼付された第２外側情報表示面部３２とを備える。
【００１８】
図３には名刺１を分解した状態が示されている。
図３において、第１内側情報表示面部２１は、第１の内側辺２１１と、第１の内側辺２１１と直交する方向に延びる第２の内側辺２１２とを備える。第１の内側辺２１１と第２の内側辺２１２とは、第１面状部材２の内面を構成する４辺のうち互いに直交する２つの辺である。
第１外側情報表示面部２２は、第１の内側辺２１１と平行な第１の外側辺２２１と、第１の外側辺２２１と直交する方向に延びて第２の内側辺２１２と平行な第２の外側辺２２２とを備える。第１の外側辺２２１と第２の外側辺２２２とは、第１面状部材２の外面を構成する４辺のうち互いに直交する２つの辺である。
【００１９】
第２内側情報表示面部３１は、第１の内側辺３１１と、第１の内側辺３１１と直交する方向に延びる第２の内側辺３１２とを備える。第１の内側辺３１１と第２の内側辺３１２とは、第２面状部材３の内面を構成する４辺のうち互いに直交する２つの辺である。
第２外側情報表示面部３２は、第１の内側辺３１１と平行な第１の外側辺３２１と、第１の外側辺３２１と直交する方向に延びて第２の内側辺３１２と平行な第２の外側辺３２２とを備える。第１の外側辺３２１と第２の外側辺３２２とは、第２面状部材３の外面を構成する４辺のうち互いに直交する２つの辺である。
【００２０】
本実施形態では、第１面状部材２と第２面状部材３とが組み合わされて、第１面状部材２の第１の内側辺２１１と第２面状部材３の第１の内側辺３１１とが延出する方向に延びる軸を第１の軸Ｘ１と定義し、第１面状部材２と第２面状部材３とが組み合わされて、第２の内側辺２１２と第２面状部材３の第２の内側辺３１２とが延出する方向に延びる軸を第２の軸Ｘ２と定義する。
【００２１】
中間面状部材４は、和紙で形成されて、それぞれ帯状の第１中間面状部材４１および第２中間面状部材４２と、三角形状の第３中間面状部材４３とを備える。
第１中間面状部材４１は、図３において第１内側情報表示面部２１と重なって、折線Ｌ１および折線Ｌ２を有する平面視台形状の主面部４１１と、主面部４１１から延設されて第１の内側辺２１１に沿って設けられた平面視台形状の第１延設部４１２と、主面部４１１から延設されて第２の内側辺２１２に沿って設けられた平面視四角形状の第２延設部４１３とを備える。
主面部４１１は、イチオシ商品の情報等が印刷された第１情報表示面部４１５と、第１情報表示面部４１５の裏側に設けられ、第２内側情報表示面部３１に印刷された取扱店舗やアクセスマップ等の情報の一部が印刷された第２情報表示面部４１６とを備える。
【００２２】
第２中間面状部材４２は、図３において第２内側情報表示面部３１と重なって、折線Ｌ３および折線Ｌ４を有する平面視台形状の主面部４２１と、主面部４２１から延設されて第１の内側辺３１１に沿って設けられた平面視四角形状の第１延設部４２２と、主面部４２１から第２の内側辺３１２に沿って設けられた平面視四角形状の第２延設部４２３とを備える。
主面部４２１は、第１内側情報表示面部２１に印刷された製品ラインナップ等の情報の一部が印刷された第１情報表示面部４２５と、第１情報表示面部４２５の裏側に設けられ、電話番号やホームページのアドレス等が印刷された第２情報表示面部４２６とを備える。
第２内側情報表示面部３１の表面には、第２内側情報表示面部３１と第２中間面状部材４２との間にカードＡを差し込む差込部５１が形成されている。
【００２３】
第３中間面状部材４３は、図３において第１内側情報表示面部２１と重なって、折線Ｌ５および折線Ｌ６を有する平面視三角形状の主面部４３１と、主面部４３１から延設されて第１の内側辺２１１に沿って設けられた平面視台形状の第１延設部４３２と、主面部４３１から延設されて第２の内側辺２１２に沿って設けられた平面視四角形状の第２延設部４３３とを備える。
主面部４３１は、ロゴマーク等が印刷された第１情報表示面部４３５と、第１情報表示面部４３５の裏側に設けられ、ＩＳＯの認証マーク等が印刷された第２情報表示面部４３６とを備える。
【００２４】
次に、名刺１の作成方法について説明する。
まず、第１中間面状部材４１を第１内側情報表示面部２１上に載置し、折線Ｌ２で折り曲げ、第２延設部４１３を第１外側情報表示面部２２に当接させて、のりなどで貼着する。
【００２５】
同様に、第２中間面状部材４２を第２内側情報表示面部３１上に載置し、折線Ｌ４で折り曲げ、第２延設部４２３と第２外側情報表示面部３２とを当接させて、のりなどで貼着する。
同様に、第３中間面状部材４３を第１内側情報表示面部２１上に載置し、折線Ｌ６で折り曲げ、第２延設部４３３と第１外側情報表示面部２２とを当接させて、のりなどで貼着する。
【００２６】
続いて、このようにされた第１内側情報表示面部２１と第２内側情報表示面部３１とを対向させ、第１中間面状部材４１を折線Ｌ１で折り曲げ、第１延設部４１２と第２外側情報表示面部３２とを当接させて、のりなどで貼着する。
同様に、第２中間面状部材４２を折線Ｌ３で折り曲げ、第１延設部４２２と第１外側情報表示面部２２とを当接させて、のりなどで貼着する。
同様に、第３中間面状部材４３を折線Ｌ５で折り曲げ、第１延設部４３２と第２外側情報表示面部３２とを当接させて、のりなどで貼着する。
なお、第１中間面状部材４１ないし第３中間面状部材４３について、どの順番で作業を行うかは適宜変更可能である。
最後に、第１外側情報表示面部２２、第２外側情報表示面部３２にそれぞれ名刺に関する情報が印刷された紙をそれぞれ貼付する。
【００２７】
このように作成された名刺１では、例えば、新製品の情報が印刷されたカードＡや、他人の名刺などからなるカードＡが、第２内側情報表示面部３１と第２中間面状部材４２の主面部４２１との間に形成された差込部５１に差し込まれて収納されることも可能である。
【００２８】
次に、このように作成された名刺１の使用方法について図４から図８に基づいて説明する。
まず、第１内側情報表示面部２１と第２内側情報表示面部３１とが対向するように第１面状部材２に対して第２面状部材３を折り畳んで一旦、閉じた状態とする。
図４に示される通り、閉じた状態の名刺１を、第１の軸Ｘ１を回動中心として、第１面状部材２に対して、第２面状部材３を開く。さらに、第１の軸Ｘ１を回動中心として、第２面状部材３を開くと、図１に示す状態となる。
【００２９】
この場合、主面部４１１，４３１は第１内側情報表示面部２１と重なった状態となり、第１情報表示面部４１５，４３５が表側となって現れる。また、主面部４２１は第２内側情報表示面部３１と重なった状態となり、第２情報表示面部４２６が表側となって現れる。
ここで、第１情報表示面部４１５には、イチオシ商品の情報等が印刷され、第２情報表示面部４２６には、電話番号やホームページのアドレス等が印刷され、第１情報表示面部４３５にはロゴマーク等が印刷されているため、第１の軸Ｘ１を中心に、第１面状部材２と第２面状部材３とを開いた場合は、主面部４１１，４２１，４３１の情報表示面部に、これらの情報が表示されることになる。
【００３０】
再度、名刺１を閉じ、第１内側情報表示面部２１と第２内側情報表示面部３１とを対向させた状態から、図５に示される通り、第２の内側辺２１２，３１２が延出する方向に延びる第２の軸Ｘ２を回動中心として、第１面状部材２に対して、第２面状部材３を開く。さらに、第２の軸Ｘ２を回動中心にして、第２面状部材３を開くと、図６に示す状態となる。
【００３１】
この場合、主面部４１１，４３１は第２内側情報表示面部３１と重なった状態となり、第２情報表示面部４１６，４３６が表側となって現れる。また、主面部４２１は第１内側情報表示面部２１と重なった状態となり、第１情報表示面部４２５が表側となって現れる。
ここで、第２情報表示面部４１６には、第２内側情報表示面部３１に印刷された取扱店舗やアクセスマップ等の情報の中で、主面部４１１と重なって見えなくなる位置の情報が印刷されているため、第２内側情報表示面部３１と主面部４１１とが重なっていても、取扱店舗やアクセスマップ等の情報を読み取ることができる。
同様に、第１情報表示面部４２５には、第１内側情報表示面部２１に印刷された製品ラインナップ等の情報の中で、主面部４２１と重なって見えなくなる位置の情報が印刷されているため、第１内側情報表示面部２１と主面部４２１とが重なっていても、製品ラインナップ等の情報を読み取ることができる。
また、第２情報表示面部４３６には、ＩＳＯの認証マーク等が印刷されているため、第２の軸Ｘ２を中心に、第１面状部材２と第２面状部材３とを開いた場合は、ＩＳＯの認証事業であることが確認できる。すなわち、第１面状部材２と第２面状部材３とを、第１の軸Ｘ１を中心に回動させた場合と、第２の軸Ｘ２を中心として回動させた場合とでは、異なる情報が第１内側情報表示面部２１および第２内側情報表示面部３１に表示されることになる。
なお、図６に示す状態における第１外側情報表示面部２２および第２外側情報表示面部３２は図７に示す状態となる。
【００３２】
次に、第１内側情報表示面部２１と第２内側情報表示面部３１との成す角度を１８０度より大きい角度となるまで、名刺１を開く動作について説明する。
第１内側情報表示面部２１と第２内側情報表示面部３１との成す角度が１８０度となってから、さらに第２の軸Ｘ２を回動中心として回動させると、第２延設部４１３，４３３が第２外側情報表示面部３２に貼着され、第２延設部４２３が第１外側情報表示面部２２に貼着されているため、図８に示すように、第２延設部４１３，４２３，４３３は、それぞれ折線Ｌ２，Ｌ４，Ｌ６で、これまでとは反対の向きに折れ曲がる。この時、中間面状部材４が和紙で形成されているため、主面部４１１，４２１，４３１と、第２延設部４１３，４２３，４３３との成す角度は、１８０度よりも大きな角度にすることができる。従って、第１面状部材２と第２面状部材３とを第１の軸Ｘ１を中心として、第１内側情報表示面部２１と第２内側情報表示面部３１とのなす角度が１８０度より大きな角度となるように相対的に回動可能となる。
【００３３】
また、図８に示した上記と同様の原理によって、第１面状部材２と第２面状部材３とを、第１の軸Ｘ１を中心として、第１内側情報表示面部２１と第２内側情報表示面部３１との成す角度が１８０度より大きな角度となるように相対的に回動可能である。
【００３４】
以上のような本実施形態では、以下の効果がある。
（１）本実施形態の名刺１では、第１面状部材２および第２面状部材３を連結する中間面状部材４は、第１中間面状部材４１、第２中間面状部材４２および第３中間面状部材４３を備える。そして、第１中間面状部材４１は、主面部４１１と、主面部４１１から延設されて第１の内側辺２１１に沿って設けられた第１延設部４１２と、主面部４１１から延設されて第２の内側辺２１２に沿って設けられた第２延設部４１３とを備え、第２中間面状部材４２は、主面部４２１と、主面部４２１から延設されて第１の内側辺３１１に沿って設けられた第１延設部４２２と、主面部４１１から第２の内側辺３１２に沿って設けられた第２延設部４２３とを備え、第３中間面状部材４３は、主面部４３１と、主面部４３１から延設されて第１の内側辺２１１に沿って設けられた第１延設部４３２と、主面部４３１から延設されて第２の内側辺２１２に沿って設けられた第２延設部４３３とを備える。さらに、第１延設部４１２，４３２および第２延設部４２３が第２外側情報表示面部３２に貼着され、第２延設部４１３，４３３および第１延設部４２２が第１外側情報表示面部２２に貼着される。このため、第１の内側辺２１１，３１１が延出する方向に延びる第１の軸Ｘ１および第２の内側辺２１２，３１２が延出する方向に延びる第２の軸Ｘ２を中心として、第１面状部材２と第２面状部材３とを相対的に回動できる。このため、第１面状部材２と第２面状部材３とを、互いに交差する第１の軸Ｘ１および第２の軸Ｘ２を中心として開くことができ、名刺１を渡した相手方に強い印象を与えることができる。
【００３５】
（２）第１中間面状部材４１の主面部４１１は、第１情報表示面部４１５と、第１情報表示面部４１５の裏側に設けられた第２情報表示面部４１６とを備え、第２中間面状部材４２の主面部４２１は、第１情報表示面部４２５と、第１情報表示面部４２５の裏側に設けられた第２情報表示面部４２６とを備え、第３中間面状部材４３の主面部４３１は、第１情報表示面部４３５と、第１情報表示面部４３５の裏側に設けられた第２情報表示面部４３６とを備える。そして、第１面状部材２と第２面状部材３とを、第１の軸Ｘ１を中心に回動させた場合、主面部４１１，４３１は第１内側情報表示面部２１と重なった状態となって、第１情報表示面部４１５，４３５が表側となって現れ、主面部４２１は第２内側情報表示面部３１と重なった状態となって、第２情報表示面部４２６が表側となって現れる。また、第１面状部材２と第２面状部材３とを、第２の軸Ｘ２を中心に回動させた場合、主面部４１１，４３１は第２内側情報表示面部３１と重なった状態となって、第２情報表示面部４１６，４３６が表側となって現れ、主面部４２１は第１内側情報表示面部２１と重なった状態となって、第１情報表示面部４２５が表側となって現れる。このため、第１面状部材２と第２面状部材３とを、第１の軸Ｘ１を中心に回動させた場合と、第２の軸Ｘ２を中心として回動させた場合とでは、異なる情報が第１内側情報表示面部２１および第２内側情報表示面部３１に表示されることになり、名刺１を渡した相手方に強い印象を与えることができる。
【００３６】
（３）第１面状部材２は、第１中間面状部材４１の第２延設部４１３と第２中間面状部材４２の第１延設部４２２と第３中間面状部材４３の第２延設部４３３とによって、互いに直交する第１の外側辺２２１および第２の外側辺２２２側から支持される。第２面状部材３は、第１中間面状部材４１の第１延設部４１２と第２中間面状部材４２の第２延設部４２３と第３中間面状部材４３の第１延設部４３２とによって、互いに直交する第１の外側辺３２１および第２の外側辺３２２側から支持される。このため、第１面状部材２と第２面状部材３とを、第１の軸Ｘ１または第２の軸Ｘ２を中心として相対的に回動させた場合に、第１面状部材２および第２面状部材３がぐらつくことを防止できる。
【００３７】
（４）第２内側情報表示面部３１と第２中間面状部材４２の主面部４２１との間には、差込部５１が形成される。このため、第１面状部材２と第２面状部材３との内側に、新製品の情報等が印刷されたカードＡを差し込むことができるため、名刺１を渡した相手方に強い印象を与えることができる。さらに、差込部５１に差し込まれたカードＡにも情報を表示することができるため、相手方により多くの情報を伝達することができる。
【００３８】
（５）第１中間面状部材４１、第２中間面状部材４２および第３中間面状部材４３は和紙で形成されているため、第１面状部材２と第２面状部材３とを第１の軸Ｘ１または第２の軸Ｘ２を中心として相対的に回動させた場合でも、折り曲げ力に耐えることができ、第１中間面状部材４１、第２中間面状部材４２および第３中間面状部材４３が破れることを防止できる。
【００３９】
なお、本考案は前述の実施形態に限定されるものではなく、本考案の目的を達成できる範囲での変形、改良等は本考案に含まれるものである。
前記実施形態では、第１中間面状部材４１、第２中間面状部材４２および第３中間面状部材４３が、それぞれ、第１外側情報表示面部２２と第２外側情報表示面部３２とに貼着されていたが、第１中間面状部材４１、第２中間面状部材４２および第３中間面状部材４３が、それぞれ、第１内側情報表示面部２１と第２内側情報表示面部３１とに貼着されてもよい。
【００４０】
前記実施形態では、中間面状部材４は第１中間面状部材４１、第２中間面状部材４２および第３中間面状部材４３の３つの部材から構成されていたが、これには限定されず、例えば、第１中間面状部材４１、第２中間面状部材４２および第３中間面状部材４３が１つに組み合わされた単一の部材であってもよい。
また、中間面状部材４が複数の部材から構成される場合には、前記実施形態のように３つの部材ではなく、第１中間面状部材４１と第２中間面状部材４２とから構成されるものや、第３中間面状部材４３と第２中間面状部材４２とから構成されるものであってもよい。あるいは、４つ以上の部材から構成されていてもよい。
【００４１】
前記実施形態では、差込部５１は、第２内側情報表示面部３１に設けられていたが、これには限定されず、第１内側情報表示面部２１に設けられていても良く、また、第１内側情報表示面部２１および第２内側情報表示面部３１の両方に設けられていても良い。
【００４２】
前記実施形態では、中間面状部材４は和紙で形成されていたが、これには限定されず、ビニールなどの可撓性のある樹脂材料や不織布などから形成されていてもよい。
さらに、前記実施形態では、情報伝達カードを名刺１として説明したが、本考案では、挨拶状、誕生日記念や結婚記念に用いられるグリーティングカードにも利用できる。
【産業上の利用可能性】
【００４３】
本考案は、名刺、グリーティングカードとして利用できる。
【符号の説明】
【００４４】
１…名刺（情報伝達カード）、２…第１面状部材、３…第２面状部材、４…中間面状部材、２１…第１内側情報表示面部、２２…第１外側情報表示面部、３１…第２内側情報表示面部、３２…第２外側情報表示面部、４１…第１中間面状部材、４２…第２中間面状部材、４３…第３中間面状部材、２１１，３１１…第１の内側辺、２１２，３１２…第２の内側辺、４１１，４２１，４３１…主面部、４１２，４２２，４３２…第１延設部、４１３，４２３，４３３…第２延設部、５１…差込部。
【図１】
0003208079.tif 000003
【図２】
0003208079.tif 000004
【図３】
0003208079.tif 000005
【図４】
0003208079.tif 000006
【図５】
0003208079.tif 000007
【図６】
0003208079.tif 000008
【図７】
0003208079.tif 000009
【図８】
0003208079.tif 000010